(57)【要約】【課題】非使用状態における装置の収納性の向上が図られた上腕式の血圧計測装置を提供する。【解決手段】血圧計１００Ａは、本体部１１０Ａと、上腕に装着されるカフ部１５０Ａとを備える。カフ部１５０Ａは、使用状態において上腕が挿入可能な中空部１５１を有し、本体部１１０Ａは、机等の台に載置されるベース部１１１と、非使用状態においてカフ部１５０Ａの中空部１５１内に収容される被収容部１１２とを含む。本体部１１０Ａには、情報を表示するための表示部１２０およびユーザからの指示を受け付けるための操作部１２１が設けられる。非使用状態において表示部１２０および操作部１２１がカフ部１５０Ａによって覆われる。【選択図】図２
2007275227.tif 000002
【特許請求の範囲】
【請求項１】
上腕に装着されるカフ部と、情報を表示するための表示部およびユーザからの指示を受け付けるための操作部の少なくともいずれか一方が設けられた本体部とを備えた血圧計測装置であって、
前記カフ部は、使用状態において上腕が挿入可能な中空部を有し、
前記本体部は、載置面に載置されるベース部と、非使用状態において前記カフ部の前記中空部内に収容される被収容部とを含み、
非使用状態において、前記表示部および前記操作部の少なくともいずれか一方が前記カフ部によって覆われる、血圧計測装置。
【請求項２】
前記表示部および前記操作部の少なくともいずれか一方が前記被収容部に設けられている、請求項１に記載の血圧計測装置。
【請求項３】
前記被収容部は、前記本体部が載置面に載置された状態において、前記ベース部から上方に向かって突出して延びている、請求項１または２に記載の血圧計測装置。
【請求項４】
前記被収容部は、前記本体部が載置面に載置された状態において、前記ベース部から側方に向かって突出して延びている、請求項１または２に記載の血圧計測装置。
【請求項５】
非使用状態において露出する部分の前記本体部に持ち運びのための把手が設けられている、請求項１から４のいずれかに記載の血圧計測装置。
【請求項６】
非使用状態において前記カフ部を前記本体部に固定する固定手段をさらに備えた、請求項１から５に記載の血圧計測装置。
【請求項７】
前記被収容部が前記カフ部に収容された状態にあるか否かを検知する検知手段と、
前記検知手段によって検知された情報に基づいて電源のオンおよびオフの少なくともいずれか一方を制御する電源制御手段とをさらに備えた、請求項１から６のいずれかに記載の血圧計測装置。
【請求項８】
前記被収容部が前記ベース部に対して所定方向に移動可能となるように、前記被収容部と前記ベース部とを連結する第１連結手段をさらに備えた、請求項１から７のいずれかに記載の血圧計測装置。
【請求項９】
前記操作部は、押下することによって操作される押しボタンからなり、
当該押しボタンは、非使用状態においてその押下面が前記本体部の表面よりも前記本体部の内側に向けて後退した位置に配置されている、請求項１から８のいずれかに記載の血圧計測装置。
【請求項１０】
前記カフ部は、上腕が軸方向から挿入可能となるように、周方向に切れ目を有さない環状の形態にて形成され、
前記被収容部は、所定の方向に向かって延びるように前記ベース部から突出して設けられ、
前記カフ部の軸方向と前記被収容部の延在方向とが実質的に合致した状態で前記被収容部に前記カフ部が外挿可能に構成されている、請求項１から９のいずれかに記載の血圧計測装置。
【請求項１１】
前記カフ部は、上腕を圧迫するための流体袋と、当該流体袋が内周面上に配置された機枠とを含んでいる、請求項１０に記載の血圧計測装置。
【請求項１２】
非使用状態において前記カフ部がその軸方向を中心に前記本体部に対して回転することを防止する回転防止手段をさらに備えた、請求項１０または１１に記載の血圧計測装置。
【請求項１３】
前記本体部は、前記流体袋の膨縮動作を制御する膨縮動作制御手段をさらに含み、
前記流体袋は、前記膨縮動作制御手段から送信される無線信号によってその膨縮動作が制御される、請求項１１または１２に記載の血圧計測装置。
【請求項１４】
前記カフ部が前記本体部に対して所定方向に移動可能となるように、前記カフ部と前記本体部とを連結する第２連結手段をさらに備えた、請求項１０または１１に記載の血圧計測装置。
【請求項１５】
前記カフ部は、上腕が径方向から挿入可能となるように、周方向の所定位置に軸方向に延びる切れ目が設けられた環状の形態にて形成され、
前記被収容部は、所定の方向に向かって延びるように前記ベース部から突出して設けられ、
前記カフ部の軸方向と前記被収容部の延在方向とが実質的に合致した状態で前記被収容部に前記カフ部が巻き付け可能に構成されている、請求項１から９のいずれかに記載の血圧計測装置。
【請求項１６】
前記カフ部は、上腕を圧迫するための流体袋と、前記流体袋を内包する袋状の外装部材とを含んでいる、請求項１５に記載の血圧計測装置。
【請求項１７】
前記カフ部は、前記外装部材に内包されるとともに前記流体袋の外側に配置され、当該カフ部を上腕に巻き付けた状態において上腕に対して前記流体袋を付勢する湾曲弾性板をさらに含んでいる、請求項１６に記載の血圧計測装置。
【請求項１８】
流体袋を内部に含み、上腕に装着されるカフ部と、前記流体袋を膨縮させるための膨縮手段および電力を供給するための電源部の少なくともいずれか一方が設けられた本体部とを備えた血圧計測装置であって、
前記カフ部は、使用状態において上腕が挿入可能な中空部を有し、
前記本体部は、載置面に載置されるベース部と、非使用状態において前記カフ部の前記中空部内に収容される被収容部とを含み、
前記膨縮手段および前記電源部の少なくともいずれか一方が前記被収容部に設けられている、血圧計測装置。
【発明の詳細な説明】
【技術分野】
【０００１】
本発明は、被測定部位として上腕が利用されるいわゆる上腕式の血圧計測装置（以下、単に血圧計とも称する）に関するものであり、特に、本体部とカフ部とが分離されて構成された上腕式の血圧計測装置に関するものである。
【背景技術】
【０００２】
近年、高血圧を要因とする生活習慣病の早期発見や血圧管理のために血圧計が広く利用されている。通常、血圧値の測定に際しては、動脈を圧迫するための流体袋を内包するカフを生体の体表面に巻き付け、巻き付けた流体袋を膨張・収縮させることによって動脈を圧迫し、これに伴って生じる動脈圧脈波の変化を検出して血圧値の測定が行なわれる。
【０００３】
ここで、カフとは、内腔を有する帯状の構造物であって生体の被測定部位に巻き付けが可能なものを意味し、気体や液体等の流体を内腔に注入することによって上下肢の動脈圧測定に利用されるもののことを指す。したがって、カフは、流体袋とこの流体袋を生体に巻き付けるための巻付手段とを含めた概念を示す言葉であり、腕帯あるいはマンシェットと呼ばれることもある。
【０００４】
通常、被測定部位として上腕が利用されることが企図されたいわゆる上腕式の血圧計にあっては、本体部とカフ部とが分離されて構成される場合が多い。ここで、カフ部は、一般に上腕を圧迫するための流体袋としての空気袋と、この空気袋を内包する袋状の外装部材としてのカバー体とによって構成される。
【０００５】
このように構成された上腕式の血圧計にあっては、非使用時における収納性が悪いという問題、すなわち非使用時において装置が嵩張るという問題を有している。このような問題について着目した文献として、たとえば実開平４−１１００５号公報（特許文献１）がある。
【０００６】
上記特許文献１に開示の上腕式の血圧計においては、本体部にカフ部が収容される収容空間を設け、非使用時においてこの収容空間にカフ部を収容するように構成されている。ここで、上記特許文献１に開示される上腕式の血圧計にあっては、収容空間の形状を縦断面略Ｖ字状とすることにより、本体部に設ける収容空間の無駄なスペースを最小化し、非使用時における血圧計の収納性の向上を図っている。
【０００７】
しかしながら、上記構成を採用した場合には、本体部にカフ部が収容されるだけの大きさを有した収容空間を必ず設ける必要があり、無駄なスペースを排除して収容空間の大きさを可能な限り小さくしたとしても依然として血圧計全体としての小型化が十分に達成されているとは言えない。特に、近年の血圧計においては、被験者自身の手による上腕へのカフ部の装着の容易化を図るために、カバー体の内部に上腕にフィットする形状の湾曲弾性板が収容配置されているものも多く、このように構成された血圧計においてはカフ部を小さく折り畳んで収容することが困難であるため、収容空間も必然的に大型化することになる。
【０００８】
また、上記構成とは異なり、本体部とは別体にて構成されたカフ部に上腕に対する自動巻き付け機構を設けた上腕式の血圧計が知られている。このような自動巻き付け機構を備えた上腕式の血圧計が開示された文献としては、たとえば特開２００５−２３０１７５号公報（特許文献２）や特開２００５−２３７８０２号公報（特許文献３）、特開２００５−３３４１２５号公報（特許文献４）等がある。自動巻き付け機構を備えた上腕式の血圧計においては、カフ部が略円筒状に形成された機枠とこの機枠の内周面上に配置された空気袋とによって構成され、上腕はカフ部の軸方向から挿入されることになる。
【０００９】
このように構成された上腕式の血圧計においても、装置が大型であるという問題を有している。これは、上腕をカフ部に軸方向から挿入することができるように、予めカフ部が上腕を取り囲むのに十分な大きさに形成されていることが必要であるためであり、その分本体部の大きさと合わせて装置全体としての外形が大型化するためである。
【００１０】
なお、上記特許文献４には、測定時においてカフ部に挿し込んだ腕の肘を載置するための肘置きが、非使用時においてカフ部の内部に設けられた腕を差し込むための中空部内に配置されるように、カフ部に対して肘置きを回動可能に取付けた構成が開示されている。
【特許文献１】実開平４−１１００５号公報
【特許文献２】特開２００５−２３０１７５号公報
【特許文献３】特開２００５−２３７８０２号公報
【特許文献４】特開２００５−３３４１２５号公報
【発明の開示】
【発明が解決しようとする課題】
【００１１】
このように、上腕式の血圧計においては、非使用時における収納性の向上、すなわち省スペース化の観点から、可能な限り装置を小型に構成したいという要請がある。しかしながら、上述したように、従来の上腕式の血圧計においては、様々な工夫が施されているものの、未だ十分に収納性が改善されたものは存在していない。
【００１２】
一方、特に家庭において使用されることが企図された上腕式の血圧計においては、血圧測定の際に血圧計自体が持ち運ばれて机等の載置台の上に載置されて利用されることが多いため、持ち運びの際等に使用者が過って血圧計を落下させたり、あるいは他の物品に血圧計をぶつけたりすることによって血圧計が破損してしまうことがある。特に、表示部や操作部は他の部位に比べて脆弱であるため、強い衝撃がこれら表示部や操作部に直接加わった場合には、破損につながり易いという問題がある。表示部や操作部が破損した場合には、血圧計自体の利用ができなくなるため、これら表示部や操作部の破損防止のための何らかの対策が施されていることが好ましい。
【００１３】
したがって、本発明は、上述の問題点を解決すべくなされたものであり、その目的とすることころは、非使用状態における装置の収納性の向上が図られた上腕式の血圧計測装置を提供することにある。
【課題を解決するための手段】
【００１４】
本発明の第１の局面に基づく血圧計測装置は、上腕に装着されるカフ部と、情報を表示するための表示部およびユーザからの指示を受け付けるための操作部の少なくともいずれか一方が設けられた本体部とを備えたものであって、上記カフ部は、使用状態において上腕が挿入可能な中空部を有し、上記本体部は、載置面に載置されるベース部と、非使用状態において上記カフ部の上記中空部内に収容される被収容部とを含み、非使用状態において上記表示部および上記操作部の少なくともいずれか一方が上記カフ部によって覆われることを特徴とするものである。
【００１５】
上記本発明の第１の局面に基づく血圧計測装置にあっては、上記表示部および上記操作部の少なくともいずれか一方が上記被収容部に設けられていることが好ましい。
【００１６】
また、上記本発明の第１の局面に基づく血圧計測装置にあっては、上記本体部が載置面に載置された状態において、上記被収容部が上記ベース部から上方に向かって突出して延びていることが好ましい。
【００１７】
また、上記本発明の第１の局面に基づく血圧計測装置にあっては、上記本体部が載置面に載置された状態において、上記被収容部が上記ベース部から側方に向かって突出して延びていることが好ましい。
【００１８】
また、上記本発明の第１の局面に基づく血圧計測装置にあっては、非使用状態において露出する部分の上記本体部に持ち運びのための把手が設けられていることが好ましい。
【００１９】
また、上記本発明の第１の局面に基づく血圧計測装置にあっては、非使用状態において上記カフ部を上記本体部に固定する固定手段がさらに設けられていることが好ましい。
【００２０】
また、上記本発明の第１の局面に基づく血圧計測装置にあっては、上記被収容部が上記カフ部に収容された状態にあるか否かを検知する検知手段と、上記検知手段によって検知された情報に基づいて電源のオンおよびオフの少なくともいずれか一方を制御する電源制御手段とをさらに備えていることが好ましい。
【００２１】
また、上記本発明の第１の局面に基づく血圧計測装置にあっては、上記被収容部が上記ベース部に対して所定方向に移動可能となるように、上記被収容部と上記ベース部とを連結する第１連結手段をさらに備えていることが好ましい。
【００２２】
また、上記本発明の第１の局面に基づく血圧計測装置にあっては、上記操作部が押下することによって操作される押しボタンにて構成されていることが好ましく、その場合に、上記押しボタンが非使用状態においてその押下面が上記本体部の表面よりも上記本体部の内側に向けて後退した位置に配置されていることが好ましい。
【００２３】
また、上記本発明の第１の局面に基づく血圧計測装置にあっては、上記カフ部が上腕が軸方向から挿入可能となるように周方向に切れ目を有さない環状の形態にて形成されていてもよく、その場合に、上記被収容部が所定の方向に向かって延びるように上記ベース部から突出して設けられていることが好ましく、これにより上記カフ部の軸方向と上記被収容部の延在方向とが実質的に合致した状態で上記被収容部に上記カフ部が外挿可能に構成されていることが好ましい。
【００２４】
また、上記本発明の第１の局面に基づく血圧計測装置にあっては、上記カフ部が上腕を圧迫するための流体袋とこの流体袋が内周面上に配置された機枠とを含んでいることが好ましい。
【００２５】
また、上記本発明の第１の局面に基づく血圧計測装置にあっては、非使用状態において上記カフ部がその軸方向を中心に上記本体部に対して回転することを防止する回転防止手段をさらに設けられていることが好ましい。
【００２６】
また、上記本発明の第１の局面に基づく血圧計測装置にあっては、上記本体部が上記流体袋の膨縮動作を制御する膨縮動作制御手段をさらに含んでいることが好ましく、その場合に、上記流体袋が上記膨縮動作制御手段から送信される無線信号によってその膨縮動作が制御されるように構成されていることが好ましい。
【００２７】
また、上記本発明の第１の局面に基づく血圧計測装置にあっては、上記カフ部が上記本体部に対して所定方向に移動可能となるように上記カフ部と上記本体部とを連結する第２連結手段をさらに備えていることが好ましい。
【００２８】
また、上記本発明の第１の局面に基づく血圧計測装置にあっては、上記カフ部が上腕が径方向から挿入可能となるように周方向の所定位置に軸方向に延びる切れ目が設けられた環状の形態にて形成されていてもよく、その場合に、上記被収容部が所定の方向に向かって延びるように上記ベース部から突出して設けられていることが好ましく、これにより上記カフ部の軸方向と上記被収容部の延在方向とが実質的に合致した状態で上記被収容部に上記カフ部が巻き付け可能に構成されていることが好ましい。
【００２９】
また、上記本発明の第１の局面に基づく血圧計測装置にあっては、上記カフ部が上腕を圧迫するための流体袋と上記流体袋を内包する袋状の外装部材とを含んでいることが好ましい。
【００３０】
また、上記本発明の第１の局面に基づく血圧計測装置にあっては、上記カフ部が、上記外装部材に内包されるとともに上記流体袋の外側に配置され、カフ部を上腕に巻き付けた状態において上腕に対して上記流体袋を付勢する湾曲弾性板をさらに含んでいることが好ましい。
【００３１】
本発明の第２の局面に基づく血圧計測装置は、流体袋を内部に含み、上腕に装着されるカフ部と、上記流体袋を膨縮させるための膨縮手段および電力を供給するための電源部の少なくともいずれか一方が設けられた本体部とを備えたものであって、上記カフ部は、使用状態において上腕が挿入可能な中空部を有し、上記本体部は、載置面に載置されるベース部と、非使用状態において上記カフ部の上記中空部内に収容される被収容部とを含み、上記膨縮手段および上記電源部の少なくともいずれか一方が上記被収容部に設けられていることを特徴とするものである。
【発明の効果】
【００３２】
本発明によれば、非使用状態における装置の収納性の向上が図られた上腕式の血圧計測装置とすることができる。
【発明を実施するための最良の形態】
【００３３】
以下、本発明の実施の形態について、図を参照して詳細に説明する。なお、以下に示す実施の形態においては、オシロメトリック式の上腕式血圧計に本発明を適用した場合を例示して説明を行なう。
【００３４】
（実施の形態１）
図１および図２は、本発明の実施の形態１における血圧計の外観を示す図であり、図１は、本体部からカフ部を取り外した状態を示す斜視図、図２は、本体部にカフ部を取付けた状態を示す斜視図である。また、図３は、図１および図２に示すカフ部の断面図である。まず、これら図１ないし図３を参照して、本実施の形態における血圧計の外観構造について説明する。
【００３５】
図１および図２に示すように、本実施の形態における血圧計１００Ａは、本体部１１０Ａとカフ部１５０Ａとを主に備えている。本体部１１０Ａとカフ部１５０Ａとは空気の経路となるエア管１４０によって接続されている。エア管１４０は、適度な可撓性を有する管状の部材からなる。
【００３６】
本体部１１０Ａは、机等の載置台に載置されるベース部１１１と、載置台に本体部１１０Ａが載置された状態においてベース部１１１の上面１１１ａから上方に向かって突出する被収容部１１２とを有している。被収容部１１２は、血圧計１００Ａの非使用状態においてカフ部１５０Ａによって覆われる部位であり、略円柱状に形成されている。被収容部１１２の周面には、測定結果や操作ガイド等を表示するための表示部１２０が設けられている。また、ベース部１１１の上面１１１ａには、電源の投入に用いられる電源ボタンや測定動作を開始させるための測定ボタン、表示部１２０の画面操作を行なう表示部操作ボタン等、種々のボタンが配置された操作部１２１が設けられている。
【００３７】
ベース部１１１の上面１１１ａの所定位置には、カフ部１５０Ａが本体部１１０Ａにセットされた状態にあるか否かを検知する検知手段としてのマイクロスイッチ１１８と、カフ部１５０Ａが本体部１１０Ａにセットされた状態においてカフ部１５０Ａを本体部１１０Ａに固定する固定手段としての固定フック１１４および可動フック１１５とが設けられている。また、ベース部１１１の周面１１１ｂには、リリースボタン１１６が設けられている。このリリースボタン１１６は、可動フック１１５に関連して設けられ、使用者に操作されることによって固定フック１１４および可動フック１１５によるカフ部１５０Ａの係止を解除するためのボタンである。なお、マイクロスイッチ１１８による検知機構および固定フック１１４および可動フック１１５による係止機構、リリースボタン１１６による係止解除動作については、後述することとする。
【００３８】
また、本体部１１０Ａのベース部１１１の内部には、エア管１４０の巻き取り装置（図示せず）が配置されている。巻き取り装置は、エア管１４０の余剰部分を巻き取って収納するためのものであり、血圧計１００Ａの使用時や非使用時においてエア管１４０の余剰部分が邪魔になることを防止するためのものである。
【００３９】
カフ部１５０Ａは、血圧計１００Ａの使用時において被験者の上腕に装着される部位であり、その外形は略円筒状に形成されている。ここで、カフ部１５０Ａは、周方向に切れ目を有さない環状の形態にて構成されている。図３に示すように、カフ部１５０Ａは、上腕を圧迫するための流体袋としての空気袋１７０と、空気袋１７０の外側を覆うように形成された略円筒状の機枠であるシェル１６０と、空気袋１７０の内側を覆うカフカバー１７４とを有している。空気袋１７０は、シェル１６０の内周面に沿うように配置されており、その結果、カフ部１５０Ａは、使用状態において上腕が挿入可能な中空部１５１を有している。
【００４０】
シェル１６０の周面の所定位置には、カフ部１５０Ａの上腕への脱着作業の容易化を図るために、カフ部１５０Ａが装着される上腕とは反対側の手で把持可能な把手１６２が設けられている。また、図１および図２に示すように、シェル１６０の周面の所定位置には、上述した固定フック１１４および可動フック１１５に係合する凹部１６４，１６５（凹部１６５については図２、図４および図５参照）が設けられている。
【００４１】
図３に示すように、空気袋１７０は、好適には樹脂シートを用いて形成された袋状の部材からなる。空気袋１７０の内部には、後述する膨縮手段１３２（図９参照）によって膨張・収縮される膨縮空間が形成されており、この膨縮空間には上述のエア管１４０の一端が接続されている。空気袋１７０を構成する樹脂シートの材質としては、伸縮性に富んでおり膨縮空間からの漏気がないものであればどのようなものでも利用可能である。このような観点から、樹脂シートの好適な材質としては、エチレン−酢酸ビニール共重合体（ＥＶＡ）、軟質塩化ビニル（ＰＶＣ）、ポリウレタン（ＰＵ）、ポリアミド（ＰＡ）、生ゴム等が挙げられる。
【００４２】
空気袋１７０とシェル１６０との間には、空気袋１７０の環状形態を維持するための付勢部材１７１と、付勢部材１７１とシェル１６０との間のすべり摩擦を低減するための摩擦低減部材１７２とが配置されている。付勢部材としては、適度な弾性を有する樹脂部材にて形成されていることが好ましく、たとえばポリプロピレン（ＰＰ）等から樹脂部材が利用される。摩擦低減部材１７２としては、たとえば布地等が利用される。
【００４３】
図１および図２に示すように、本実施の形態における血圧計１００Ａにおいては、カフ部１５０Ａが本体部１１０Ａに取付けられた状態と、カフ部１５０Ａが本体部１１０Ａから取り外された状態との２つ状態をとることが可能に構成されている。図１に示すように、カフ部１５０Ａが本体部１１０Ａから取り外された状態においては、カフ部１５０Ａに設けられた中空部１５１に軸方向から上腕を挿入することが可能であり、カフ部１５０Ａの上腕への装着が可能な使用状態をとることになる。一方、図２に示すように、カフ部１５０Ａが本体部１１０Ａに取付けられた状態においては、カフ部１５０Ａの中空部１５１内に本体部１１０Ａの被収容部１１２が収容された状態となり、血圧計１００Ａを使用しない場合の非使用状態をとることになる。なお、図２に示すように、非使用状態においては、カフ部１５０Ａによって本体部１１０Ａに設けられた表示部１２０および操作部１２１が覆われることになる。
【００４４】
カフ部１５０Ａの本体部１１０Ａの取付けに際しては、カフ部１５０Ａの軸方向と本体部１１０Ａの被収容部１１２の延在方向とが合致した状態でカフ部１５０Ａが被収容部１１２に外挿されることによって行なわれる。そして、本体部１１０Ａのベース部１１１の上面１１１ａにカフ部１５０Ａの軸方向端面が突き当ることにより、カフ部１５０Ａが本体部１１０Ａに位置決めされ、その際、後述する係止機構によってカフ部１５０Ａが本体部１１０Ａに固定されることなる。一方、本体部１１０Ａからカフ部１５０Ａを取り外すに際しては、本体部１１０Ａのベース部１１１の周面１１１ｂに設けられたリリースボタン１１６を操作することによって上記係止機構による係止を解除し、その状態でカフ部１５０Ａを本体部１１０Ａの被収容部１１２から抜き取ることによって行なわれる。
【００４５】
図４および図５は、本実施の形態における血圧計の本体部とカフ部との係止機構およびこの係止機構を利用したカフ部の本体部からの係止解除動作を説明するための断面図である。次に、これらの図を参照して、本実施の形態における血圧計の本体部とカフ部との係止機構ならびにこの係止機構を利用したカフ部の本体部からの係止解除動作について詳説する。
【００４６】
図４および図５に示すように、本体部１１０Ａのベース部１１１の所定位置には、固定フック１１４および可動フック１１５が取付けられている。これら固定フック１１４と可動フック１１５は対を成し、本体部１１０Ａの被収容部１１２を挟んだ位置に設けられる。固定フック１１４は、ベース部１１１に対してその下端が移動不能に固定されており、上端に設けられた係止爪１１４ａが本体部１１０Ａから露出した位置に配置されている。一方、可動フック１１５は、本体部１１０Ａの内部に設けられたバネ１１５ｂによってその下端が本体部１１０Ａに移動可能に接続されており、上端に設けられた係止爪１１５ａが本体部１１０Ａから露出した位置に配置されている。また、本体部１１０Ａのベース部１１１の周面に設けられたリリースボタン１１６は、その一端が本体部１１０Ａから露出した位置に配置され、他端が可動フック１１５の下端に側方から当接している。
【００４７】
図４に示すように、本体部１１０Ａにカフ部１５０Ａを取付けた状態においては、固定フック１１４の係止爪１１４ａがカフ部１５０Ａのシェル１６０に設けられた凹部１６４に係止しており、可動フック１１５の係止爪１１５がカフ部１５０Ａのシェル１６０に設けられた凹部１６５に係止している。この状態において図５に示すように、リリースボタン１１６を図中矢印Ａ方向に向けて押下すると、リリースボタン１１６によって可動フック１１５の下端がバネ１１５ｂの弾性力に抗して本体部１１０Ａの内側に向かって押し込まれ、反対に可動フック１１５の上端が本体部１１０Ａの外側に向かって（図中矢印Ｂ方向に向かって）移動し、係止爪１１５ａの凹部１６５に対する係止が解除される。そして、図中において矢印Ｃで示す如く、カフ部１５０Ａを僅かに水平方向に移動させて固定フック１１４の係止爪１１４ａによる凹部１６４の係止を解除し、その後上方に向けてカフ部１５０Ａを引き続き移動させることにより、本体部１１０Ａからカフ部１５０Ａと取り外すことが可能になる。
【００４８】
また、図４に示すように、固定フック１１４および可動フック１１５の上面にはそれぞれテーパ面が形成されているため、カフ部１５０Ａの中空部１５１内に本体部１１０Ａの被収容部１１２が内挿された状態でカフ部１５０Ａを下方に向けて移動させることにより、図４に示す係止状態へと戻すことができる。
【００４９】
なお、係止機構としては、必ずしも上述のような構成でなくてもよく、たとえば面ファスナを用いた係止機構や磁石を用いた係止機構など、様々な係止機構を利用することができる。
【００５０】
図６および図７は、上述したマイクロスイッチによる検知機構の具体的な構成および検知動作を説明するための断面図である。次に、こららの図を参照して、本実施の形態における検知機構の構成および検知動作について詳細に説明する。
【００５１】
図６に示すように、本体部１１０Ａのベース部１１１の上面１１１ａには、マイクロスイッチ１１８が設けられている。マイクロスイッチ１１８は、そのスイッチ部１１８ａが、非押し下げ状態においてベース部１１１の上面１１１ａから上方に向かって突出して位置するように配置されている。図７に示すように、本体部１１０Ａにカフ部１５０Ａが取付けられた状態においては、マイクロスイッチ１１８のスイッチ部１１８ａがカフ部１５０Ａの軸方向端面によって図中矢印Ｄ方向に向けて押し下げられる。これにより、本体部１１０Ａにカフ部１５０Ａが取付けられているか否か、すなわち被収容部１１２がカフ部１５０Ａに収納された状態にあるか否かがマイクロスイッチ１１８によって検知されることになる。
【００５２】
なお、本実施の形態における血圧計１００Ａにおいては、このマイクロスイッチ１１８によって検知された情報に基づいて血圧計１００Ａの電源のオン／オフが制御されるように構成されるが、その点については後述することとする。また、検知機構としては、マイクロスイッチを利用した構成以外にも種々の構成を利用することができ、たとえば光検出器や磁気を利用した検出器などを利用することも可能である。
【００５３】
図８は、本実施の形態における血圧計の操作部を含む断面図である。上述のように、本体部１１０Ａにカフ部１５０Ａが取付けられた状態においてカフ部１５０Ａの軸方向端面が本体部１１０Ａのベース部１１１の上面１１１ａに当接するように構成された場合には、カフ部１５０Ａの軸方向端面によって操作部１２１の押しボタン１２１ａがカフ部１５０Ａによって押し下げられて過って誤操作されることが問題となる。そこで、本実施の形態における血圧計１００Ａにおいては、カフ部１５０Ａが本体部に取付けられた状態においてその押下面が本体部１１０Ａの上面１１１ａよりも本体部１１０Ａの内側に向けて後退した位置に配置されるように構成することにより、上述の誤操作の防止が図られている。なお、上記のように押しボタン１２１ａの押下面を本体部１１０Ａの上面１１１ａよりも本体部１１０Ａの内側に配置するためには、図示するように本体部１１０Ａの上面１１１ａに凹部１１１ａ１を設け、この凹部１１１ａ１内に押しボタン１２１ａの先端部が位置するように構成するとよい。
【００５４】
図９は、本実施の形態における血圧計の構成を示す機能ブロック図である。次に、この図を参照して、本実施の形態における血圧計の主要な機能ブロックの構成について説明する。
【００５５】
図９に示すように、血圧計１００Ａの本体部１１０Ａの内部には、カフ部１５０Ａに内包された空気袋１７０にエア管１４０を介して空気を供給または排出するための血圧測定用エア系コンポーネント１３０が設けられている。血圧測定用エア系コンポーネント１３０には、空気袋１７０内の圧力を検出する圧力検出手段である圧力センサ１３１と、空気袋１７０を膨縮させるための膨縮手段１３２であるポンプ１３３および弁１３４が含まれる。また、本体部１１０Ａの内部には、血圧測定用エア系コンポーネント１３０に関連して発振回路１２５、ポンプ駆動回路１２６および弁駆動回路１２７が設けられる。
【００５６】
さらに、本体部１１０Ａには、各部を集中的に制御および監視するためのＣＰＵ（Central Processing Unit）１２２と、ＣＰＵ１２２に所定の動作をさせるプログラムや測定された血圧値などの各種情報を記憶するためのメモリ部１２３と、血圧測定結果を含む各種情報を表示するための表示部１２０と、測定のための各種指示を入力するために操作される操作部１２１と、ＣＰＵ１２２および各機能ブロックに電力を供給するための電源部１２４と、カフ部１５０Ａが本体部１１０Ａにセットされているか否かを検知するためのマイクロスイッチ１１８と、電源のオン／オフ動作の際に計時動作を行なうタイマ回路１２８とが設置される。ＣＰＵ１２２は、血圧値を算出するための血圧値算出手段としても機能する。さらに、ＣＰＵ１２２は、マイクロスイッチ１１８によって検知された情報および操作部１２１が操作されたか否かの情報を基にタイマ回路１２８による計時動作の制御を行い、これに基づいて電源部１２４による電源のオン／オフ動作の制御を行なう電源制御手段としても機能する。
【００５７】
圧力センサ１３１は、空気袋１７０内の圧力（以下、「カフ圧」という）を検出し、検出した圧力に応じた信号を発振回路１２５に出力する。ポンプ１３３は、空気袋１７０に空気を供給する。弁１３４は、空気袋１７０内の圧力を維持したり、空気袋１７０内の空気を排出したりする際に開閉する。発振回路１２５は、圧力センサ１３１の出力値に応じた発振周波数の信号をＣＰＵ１２２に出力する。ポンプ駆動回路１２６は、ポンプ１３３の駆動をＣＰＵ１２２から与えられる制御信号に基づいて制御する。弁駆動回路１２７は、弁１３４の開閉制御をＣＰＵ１２２から与えられる制御信号に基づいて行なう。
【００５８】
図１０は、本実施の形態における血圧計の血圧測定処理の流れを示すフローチャートである。次に、この図を参照して、本実施の形態における血圧計における血圧測定処理の流れについて説明する。このフローチャートに従うプログラムは、図９において示したメモリ部１２３に予め記憶されており、ＣＰＵ１２２がメモリ部１２３からこのプログラムを読出して実行することにより、血圧測定処理が実施される。
【００５９】
本実施の形態における血圧計１００Ａにおいては、カフ部１５０Ａが本体部１１０Ａに取付けられた状態においてカフ部１５０Ａを本体部１１０Ａから取り外すと、上述のマイクロスイッチ１１８によってそのことが検知され、図１０に示すように血圧計１００Ａに電源が投入される（ステップＳ１）。血圧計１００Ａに電源が投入されてオン状態になると、血圧計１００Ａの初期化がなされる（ステップＳ２）。次に、タイマー回路１２８による計時が開始される（ステップＳ３）。次に、ステップＳ４において、操作部１２１が操作されないまま所定時間が経過したか否かが判断され、所定時間内に操作がされた場合（ステップＳ４においてＮＯの場合）にはステップＳ５へと移行し、所定時間内に操作がされていない場合（ステップＳ４においてＹＥＳの場合）にはステップＳ１２へと移動して電源をオフにする。
【００６０】
ステップＳ５においては、カフ部１５０Ａが本体部１１０Ａに取付けられているか否かが判断され、カフ部１５０Ａが本体部１１０Ａに取付けられていない場合（ステップＳ５においてＮＯの場合）にはステップＳ６へと移行し、カフ部１５０Ａが本体部１１０Ａに取付けられている場合（ステップＳ５においてＹＥＳの場合）にはステップＳ１２へと移動して電源をオフにする。なお、カフ部１５０Ａが本体部１１０Ａに取付けられているか否かの判断には、上述のマイクロスイッチ１１８が利用される。
【００６１】
ステップＳ６においては、測定開始ボタンがオンされたか否かが判断され、測定開始ボタンがオンされた場合（ステップＳ６においてＹＥＳの場合）にはステップＳ７へと移行し、測定開始ボタンがオンされていない場合（ステップＳ６においてＮＯの場合）にはステップＳ４へと戻る。
【００６２】
測定可能状態になると、ＣＰＵ１２２はポンプ１３３の駆動を開始し、空気袋１７０のカフ圧を徐々に上昇させる（ステップＳ７）。カフ圧を徐々に加圧する過程において、カフ圧が血圧測定のために必要な所定のレベルにまで達すると、ＣＰＵ１２２はポンプ１３３を停止し、次いで閉じていた弁１３４を徐々に開いて空気袋１７０の空気を徐々に排気し、カフ圧を徐々に減圧させ（ステップＳ８）、このカフ圧の微速減圧過程においてカフ圧の検出が行なわれる。
【００６３】
次に、ＣＰＵ１２２は公知の手順で血圧値（最高血圧値、最低血圧値）を算出する（ステップＳ９）。具体的には、カフ圧が徐々に減圧する過程において、ＣＰＵ１２２は発振回路１２５から得られる発振周波数に基づき脈波情報を抽出する。そして、抽出された脈波情報により血圧値を算出する。ステップＳ９において血圧値が算出されると、算出された血圧値を表示部１２０に表示する（ステップＳ１０）。その後、タイマ回路１２８による計時をリセットし（ステップＳ１１）、ステップＳ３へと戻る。
【００６４】
なお、以上において説明した測定方式は、空気袋の減圧時に脈波を検出するいわゆる減圧測定方式に基づいたものであるが、空気袋の加圧時に脈波を検出するいわゆる加圧測定方式を採用することも当然に可能である。
【００６５】
以上において説明した本実施の形態における血圧計１００Ａにおいては、本体部１１０Ａにカフ部１５０Ａが取付けられた非使用状態において、カフ部１５０Ａの中空部１５１内に本体部１１０Ａの被収容部１１２が収容されることになる。したがって、従来の血圧計においてデッドスペースとなっていた空間を有効に活用することができるため、非使用状態において血圧計を大幅に小型化することができる。したがって、収納性に優れた上腕式の血圧計とすることができる。また、脆弱な部位である表示部１２０および操作部１２１が非使用状態においてカフ部１５０Ａによって覆われることになるため、これら表示部１２０および操作部１２１に大きな外力が加わる心配もなく、非使用状態においてこれら部位が破損することが確実に防止できるようになる。
【００６６】
また、上述のようにカフ部１５０Ａを本体部１１０Ａの被収容部１１２に一方向から外挿することによってカフ部１５０Ａが本体部１１０Ａに取付けられるように構成することにより、取扱い性にも優れた血圧計とすることができる。また、カフ部１５０Ａを本体部１１０Ａに取付けた非使用状態においてカフ部１５０Ａを本体部１１０Ａに固定する機構を設けることにより、血圧計の持ち運びの際の利便性も向上するようになる。
【００６７】
さらには、カフ部１５０Ａの本体部への脱着を検知し、これに基づいて電源のオン／オフの制御を行なうことにより、別途電源ボタンを設ける必要がなくなって装置構成が簡素化するとともに、電源の消し忘れ等も防止できるようになる。
【００６８】
なお、上述の本実施の形態における血圧計１００Ａにおいては、カフ部１５０Ａを本体部１１０Ａに取付けた非使用状態においてカフ部１５０Ａを本体部１１０Ａに固定する機構を設けた場合を例示して説明を行なったが、このような固定機構を設けない構成とすることも可能である。そのように構成した場合の例を本実施の形態に基づく第１変形例として説明する。
【００６９】
図１１は、本発明の実施の形態１における血圧計の第１変形例において、本体部からカフ部を取り外した状態を示す斜視図である。図１１に示すように、第１変形例における血圧計１００Ｂにおいては、本体部１１０Ｂおよびカフ部１５０Ｂにこれらを係止するための係止機構が設けられていない。このように構成すれば、血圧計を持ち運ぶ際にカフ部に設けられた把手を把持して持ち上げても本体部がカフ部に追従せず、持ち運びの際の利便性に失することになる。そこで、本実施の形態における血圧計１００Ｂにおいては、本体部１１０Ｂの非使用状態において露出することとなる部分である天面部分に把手１１９を設けている。このように構成すれば、血圧計１００Ｂの持ち運びの際に把手１１９を把持して本体部１１０Ｂを持ち上げれば、カフ部１５０Ｂが本体部１１０Ｂに追従することになり、持ち運びの際の利便性に資することになる。
【００７０】
また、上述のように、本体部１１０Ｂおよびカフ部１５０Ｂにこれらを係止するための係止機構が設けられていない場合には、カフ部１５０Ｂを本体部１１０Ｂに取付けた状態においてカフ部１５０Ｂがその軸方向を中心に本体部１１０Ｂに対して回転するおそれがある。過度の回転が生じた場合には、エア管１４０が引っ張られて破損することも懸念される。そこで、本実施の形態における血圧計１００Ｂにおいては、カフ部１５０Ｂの軸方向端面に突起部１６７を設け、本体部１１０Ｂのベース部１１１の上面１１１ａに上記突起部１６７に係合する凹部１１７を設けている。このように構成すれば、カフ部１５０Ｂを本体部１１０Ｂに取付けた非使用状態において、カフ部１５０Ｂがその軸方向を中心に本体部１１０Ｂに対して回転することが効果的に防止できる。
【００７１】
また、上述の本実施の形態における血圧計１００Ａにおいては、本体部１１０Ａに血圧測定用エア系コンポーネント１３０を設け、カフ部１５０Ａに設けられる空気袋１７０と血圧測定用エア系コンポーネント１３０とをエア管１４０にて接続した構成とした場合を例示したが、血圧測定用エア系コンポーネントをカフ部に設けることも可能である。そのように構成した場合の例を本実施の形態に基づく第２変形例として説明する。
【００７２】
図１２は、本発明の実施の形態１における血圧計の第２変形例において、本体部からカフ部を取り外した状態を示す斜視図であり、また、図１３は、機能ブロック図である。図１２および図１３に示すように、第２変形例における血圧計１００Ｃにおいては、本体部１１０Ｃとカフ部１５０Ｃとがエア管１４０によって接続されていない。代わりに、図１３に示すように、カフ部１５０Ｃに血圧測定用エア系コンポーネント１３０、ＣＰＵ１２２ｂおよび電源部１２４ｂが設けられている。なお、本体部１１０ＣにもＣＰＵ１２２ａおよび電源部１２４ａが設けられている。
【００７３】
ＣＰＵ１２２ａは、操作部１２１において受け付けた使用者の指令に基づいて測定開始の指令信号を無線信号にて生成する。ＣＰＵ１２２ｂは、ＣＰＵ１２２ａにて生成された無線信号を受信し、各種制御信号を生成してポンプ１３３および弁１３４を含む膨縮手段１３２を制御する。圧力センサ１３１は、空気袋１７０内の圧力を検出し、検出した圧力に応じた信号を発振回路１２５に出力する。発振回路１２５は、圧力センサ１３１の出力値に応じた発振周波数の信号をＣＰＵ１２２ｂに出力し、ＣＰＵ１２２ｂはこれを無線信号に変換してＣＰＵ１２２ａに送信する。
【００７４】
このように構成することにより、本体部１１０Ａとカフ部１５０Ａとを完全に切り離すことが可能になるため、エア管によって本体部１１０Ａとカフ部１５０Ａとを接続する必要がなくなる。したがって、非常に使い勝手のよい血圧計とすることができる。
【００７５】
（実施の形態２）
図１４および図１５は、本発明の実施の形態２における血圧計の外観を示す図であり、図１４は、本体部からカフ部を取り外した状態を示す斜視図、図１５は、本体部にカフ部を取付けた状態を示す斜視図である。なお、上述の実施の形態１における血圧計１００Ａと同様の部分については図中同一の符号を付し、その説明はここでは繰り返さない。
【００７６】
図１４および図１５に示すように、本実施の形態における血圧計１００Ｄは、上述の実施の形態１における血圧計１００Ａと同様に、本体部１１０Ｄとカフ部１５０Ｄとを主に備えている。本体部１１０Ｄとカフ部１５０Ｄとは空気の経路となるエア管１４０によって接続されている。カフ部１５０Ｄの構成は、上述の実施の形態１におけるカフ部１５０Ａと同様である。
【００７７】
本体部１１０Ｄは、机等の載置台に載置される台部１１１Ａおよび台部１１１Ａから上方に向かって延びる支柱部１１１Ｂを含むベース部１１１と、載置台に本体部１１０Ｄが載置された状態において支柱部１１１Ｂの側面から側方に向かって突出する被収容部１１２とを有している。被収容部１１２は、血圧計１００の非使用状態においてカフ部１５０Ａによって覆われる部位であり、三角柱状に形成されている。被収容部１１２の前面には、表示部１２０および操作部１２１が設けられている。
【００７８】
カフ部１５０Ｄの本体部１１０Ｄの取付けに際しては、カフ部１５０Ｄの軸方向と本体部１１０Ｄの被収容部１１２の延在方向とが合致した状態でカフ部１５０Ｄが被収容部１１２に外挿されることによって行なわれる。一方、本体部１１０Ｄからカフ部１５０Ｄから取り外すに際しては、カフ部１５０Ｄを本体部１１０Ｄの被収容部１１２から抜き取ることによって行なわれる。
【００７９】
このように構成した場合にも上述の実施の形態１における場合と同様に、本体部１１０Ｄにカフ部１５０Ｄが取付けられた非使用状態において、カフ部１５０Ｄの中空部１５１内に本体部１１０Ａの被収容部１１２が収容されることになる。したがって、従来の血圧計においてデッドスペースとなっていた空間を有効に活用することができるため、非使用状態において血圧計を大幅に小型化することができる。したがって、収納性に優れた上腕式の血圧計とすることができる。また、脆弱な部位である表示部１２０および操作部１２１が非使用状態においてカフ部１５０Ｄによって覆われることになるため、これら表示部１２０および操作部１２１に大きな外力が加わる心配もなく、非使用状態においてこれら部位が破損することが確実に防止できるようになる。また、上述のようにカフ部１５０Ｄを本体部１１０Ｄの被収容部１１２に一方向から外挿することによってカフ部１５０Ｄが本体部１１０Ｄに取付けられるように構成することにより、取扱い性にも優れた血圧計とすることができる。
【００８０】
なお、本実施の形態における血圧計１００Ｄにおいては、カフ部１５０Ｄを本体部１１０に固定する係止機構やカフ部１５０Ｄが本体部１５０Ｄに取付けられた否かを検知する検知機構を設けていないが、このような機構を設けることにより、さらに使い勝手のよい血圧計とすることができる。
【００８１】
また、上述の本実施の形態における血圧計１００Ｄにおいては、被収容部１１２に表示部１２０および操作部１２１を設けた場合を例示して説明を行なったが、表示部１２０および操作部１２１は必ずしも被収容部１１２に設けられている必要はなく、これに代えて被収容部１１２内に血圧測定用エア系コンポーネント１３０や電源部１２４（図９参照）を配置する構成としてもよい。そのように構成した場合の例を本実施の形態に基づく変形例として説明する。
【００８２】
図１６は、本発明の実施の形態２における血圧計の変形例において、本体部からカフ部を取り外した状態を示す斜視図である。図１６に示すように、本変形例における血圧計１００Ｅにおいては、支柱部１１１Ｂに表示部１２０および操作部１２１が設けられている。その一方、被収容部１１２の内部には、血圧測定用エア系コンポーネント１３０および電源部１２４が配設されている。これら血圧測定用エア系コンポーネント１３０、特にその中でもポンプ１３３や弁１３４といった膨縮手段１３２および電源部１２４は、血圧計の内部構成部品の中でも特に大型の部品であり、これら部品の少なくともいずれか一方でも被収容部１１２内に納めることによって、非使用状態において血圧計を大幅に小型化することができる。したがって、収納性に優れた上腕式の血圧計とすることができる。
【００８３】
（実施の形態３）
図１７および図１８は、本発明の実施の形態３における血圧計の外観を示す図であり、図１７は、カフ部を使用位置に向けて回動させた状態を示す斜視図、図１８は、カフ部を非使用位置に配置した状態を示す斜視図である。なお、上述の実施の形態１における血圧計１００Ａと同様の部分については図中同一の符号を付し、その説明はここでは繰り返さない。
【００８４】
図１７および図１８に示すように、本実施の形態における血圧計１００Ｆは、上述の実施の形態１における血圧計１００Ａと同様に、本体部１１０Ｆとカフ部１５０Ｆとを主に備えている。本体部１１０Ｆとカフ部１５０Ｆとは、第２連結手段としてのヒンジ１１１ｃによって連結されており、カフ部１５０Ｆは本体部１１０Ｆに対して回動自在に取付けられている。カフ部１５０Ｆの構成は、上述の実施の形態１におけるカフ部１５０Ａと同様である。
【００８５】
本体部１１０Ｆは、机等の載置台に載置されるベース部１１１と、被収容部１１２とを有している。ベース部１１１と被収容部１１２とは、第１連結手段としてのヒンジ１１２ａによって連結されており、被収容部１１２はベース部１１１に対して回動自在に取付けられている。ベース部１１１の上面には、カフ部１５０Ａの中空部１５１に挿入した腕の肘を置くための肘置き１１１ｄが設けられている。被収容部１１２には、表示部１２０および操作部１２１が設けられている。
【００８６】
本実施の形態における血圧計１００Ｆにおいては、カフ部１５０Ｆが本体部１１０Ｆに対して回動可能に構成されており、図１７に示すように非使用時においてカフ部１５０Ｆが本体部１１０Ｆ上に位置し、図１８に示すように使用状態においてカフ部１５０Ｆが本体部１１０Ｆよりも被験者側に向けた移動するように構成されている。そして、非使用状態においては、カフ部１５０Ｆの中空部１５１内に被収容部１１２が収容されるように被収容部１１２がベース部１１１上において上方に突出する位置に配置され、使用状態においては、被収容部１１２に設けられた表示部１２０および操作部１２１が被験者の正面を向くように被収容部１１２が回動してベース部１１１の上面と平行となるように配置される。
【００８７】
このように構成した場合にも上述の実施の形態１における場合と同様に、本体部１１０Ｆにカフ部１５０Ｆが取付けられた非使用状態において、カフ部１５０Ｆの中空部１５１内に本体部１１０Ａの被収容部１１２が収容されることになる。したがって、従来の血圧計においてデッドスペースとなっていた空間を有効に活用することができるため、非使用状態において血圧計を大幅に小型化することができる。したがって、収納性に優れた上腕式の血圧計とすることができる。また、脆弱な部位である表示部１２０および操作部１２１が非使用状態においてカフ部１５０Ｆによって覆われることになるため、これら表示部１２０および操作部１２１に大きな外力が加わる心配もなく、非使用状態においてこれら部位が破損することが確実に防止できるようになる。
【００８８】
（実施の形態４）
図１９および図２０は、本発明の実施の形態４における血圧計の外観を示す図であり、図１９は、本体部からカフ部を取り外した状態を示す斜視図、図２０は、本体部にカフ部を取付けた状態を示す斜視図である。また、図２１は、図１９および図２０に示すカフ部の断面図である。なお、上述の実施の形態１における血圧計１００Ａと同様の部分については図中同一の符号を付し、その説明はここでは繰り返さない。
【００８９】
図１９および図２０に示すように、本実施の形態における血圧計１００Ｇは、上述の実施の形態１における血圧計１００Ａと同様に、本体部１１０Ｇとカフ部１５０Ｇとを主に備えている。本体部１１０Ｇとカフ部１５０Ｇとは空気の経路となるエア管１４０によって接続されている。本体部１５０Ｇの構成は、カフ部１５０Ｇを本体部１１０Ｇに取付けた非使用状態においてカフ部１５０Ｇを本体部１１０Ｇに固定する機構を設けていない点およびカフ部１５０Ｇが本体部１１０Ｇに取付けられているか否かを検知する検知機構が設けられていない点を除き、上述の実施の形態１における本体部１１０Ａと同様である。
【００９０】
カフ部１５０Ｇは、血圧計１００Ｇの使用時において被験者の上腕に装着される部位であり、その外形は略円筒状に形成されている。ここで、カフ部１５０Ｇは、周方向の所定位置に軸方向に延びる切れ目が設けられた環状の形態にて構成されている。図２１に示すように、カフ部１５０Ｇは、上腕を圧迫するための流体袋としての空気袋１７０と、空気袋１７０の外側を配置され、当該カフ部１５０Ｇを上腕に巻き付けた状態において空気袋１７０を上腕に対して付勢する湾曲弾性板としてのカーラ１８４と、これら空気袋１７０およびカーラ１８４を内包する袋状の外装部材としてのカバー体１８０とを備えている。カフ部１５０Ｇは、使用状態において上腕が挿入可能な中空部１５１を有している。
【００９１】
カーラ１８４は、環状に巻き回されることによって径方向に弾性変形可能に構成された可撓性の部材からなる。カーラ１８４は、空気袋１７０の外周面に図示しない両面テープ等の接着手段によって接着・固定されており、自身の環状形態を維持することによって上腕に沿うように構成されている。このカーラ１８４は、被験者自身によってカフ部１５０Ｇを上腕に装着し易くするためのものであるとともに、カフ部１５０Ｇの上腕への装着状態において空気袋１７０を上腕側に向けて付勢する。このカーラ１８４は、十分な弾性力を発現するように、たとえばポリプロピレン（ＰＰ）等の樹脂部材にて形成される。
【００９２】
カバー体１８０は、カフ部１５０Ｇが上腕に装着された状態において上腕側に位置する内側カバー１８１と、カフ部１５０Ｇが上腕に装着された状態において空気袋１７０から見て内側カバー１８１とは反対側に位置する外側カバー１８２とを重ね合わせてその周縁を結合することにより、袋状に形成されている。カバー体１８０は、好適にはポリアミド（ＰＡ）、ポリエステル等の合成繊維からなる布地によって形成され、内側カバー１８１と外側カバー１８２との結合には、溶着や縫合等が利用される。なお、内側カバー１８１は、好適には伸縮性に優れた部材にて構成され、外側カバー１８２は、好適には内側カバー１８１よりも伸縮性に乏しい部材にて構成される。
【００９３】
図１９および図２０に示すように、本実施の形態における血圧計１００Ｇにおいては、カフ部１５０Ｇが本体部１１０Ｇに取付けられた状態と、カフ部１５０Ｇが本体部１１０Ｇから取り外された状態との２つ状態をとることが可能に構成されている。図１９に示すように、カフ部１５０Ｇが本体部１１０Ｇから取り外された状態においては、カフ部１５０Ｇに設けられた中空部１５１に切れ目を介して上腕を径方向から挿入することが可能であり、カフ部１５０Ｇの上腕への装着が可能な使用状態をとることになる。一方、図２０に示すように、カフ部１５０Ｇが本体部１１０Ｇに取付けられた状態においては、カフ部１５０Ｇの中空部１５１内に本体部１１０Ｇの被収容部１１２が収容された状態となり、血圧計１００Ｇを使用しない場合の非使用状態をとることになる。なお、図２０に示すように、非使用状態においては、カフ部１５０Ｇによって本体部１１０Ｇに設けられた表示部１２０が覆われることになる。
【００９４】
カフ部１５０Ｇの本体部１１０Ｇの取付けに際しては、カフ部１５０Ｇの中空部が拡径するようにカフ部１５０Ｇを押し広げ、カフ部１５０Ｇの軸方向と本体部１１０Ｇの被収容部１１２の延在方向とが合致した状態で本体部１１０Ｇにカフ部１５０Ｇが巻き付けられることによって行なわれる。一方、本体部１１０Ｇからカフ部１５０Ｇを取り外すに際しては、カフ部１５０Ｇを本体部１１０Ｇの被収容部１１２から抜き取るか、あるいはカフ部１５０Ｇに設けられた切れ目を介して被収容部１１２がカフ部１５０Ｇの中空部１５１から取り出されるようにカフ部１５０Ｇを引っ張ることによって行なわれる。
【００９５】
このように構成した場合にも上述の実施の形態１における場合と同様に、本体部１１０Ｇにカフ部１５０Ｇが取付けられた非使用状態において、カフ部１５０Ｇの中空部１５１内に本体部１１０Ｇの被収容部１１２が収容されることになる。したがって、従来の血圧計においてデッドスペースとなっていた空間を有効に活用することができるため、非使用状態において血圧計を大幅に小型化することができる。したがって、収納性に優れた上腕式の血圧計とすることができる。また、脆弱な部位である表示部１２０が非使用状態においてカフ部１５０Ｇによって覆われることになるため、これら表示部１２０に大きな外力が加わる心配もなく、非使用状態においてこれら部位が破損することが確実に防止できるようになる。なお、本実施の形態においては、ベース部１１１の上面に操作部１２１を配置することとしているが、操作部１２１を被収容部１１２に設ければ非使用状態において操作部１２１をもカフ部１５０Ｇによって保護することが可能になる。
【００９６】
上述の実施の形態１ないし４においては、オシロメトリック式の血圧計本発明を適用した場合を例示して説明を行なったが、当然にコロトコフ式の血圧計に本発明を適用することも可能である。
【００９７】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００９８】
【図１】本発明の実施の形態１における血圧計において本体部からカフ部を取り外した状態を示す斜視図である。
【図２】本発明の実施の形態１における血圧計において本体部にカフ部を取付けた状態を示す斜視図である。
【図３】本発明の実施の形態１における血圧計のカフ部の断面図である。
【図４】本発明の実施の形態１における血圧計の本体部とカフ部との係止機構およびこの係止機構を利用したカフ部の本体部からの係止解除動作を説明するための断面図である。
【図５】本発明の実施の形態１における血圧計の本体部とカフ部との係止機構およびこの係止機構を利用したカフ部の本体部からの係止解除動作を説明するための断面図である。
【図６】本発明の実施の形態１における血圧計に設けられるマイクロスイッチによる検知機構の具体的な構成およびその検知動作を説明するための断面図である。
【図７】本発明の実施の形態１における血圧計に設けられるマイクロスイッチによる検知機構の具体的な構成およびその検知動作を説明するための断面図である。
【図８】本発明の実施の形態１における血圧計の操作部を含む断面図である。
【図９】本発明の実施の形態１における血圧計の構成を示す機能ブロック図である。
【図１０】本発明の実施の形態１における血圧計の血圧測定処理の流れを示すフローチャートである。
【図１１】本発明の実施の形態１における血圧計の第１変形例において、本体部からカフ部を取り外した状態を示す斜視図である。
【図１２】本発明の実施の形態１における血圧計の第２変形例において、本体部からカフ部を取り外した状態を示す斜視図である。
【図１３】本発明の実施の形態１における血圧計の第２変形例における機能ブロック図である。
【図１４】本発明の実施の形態２における血圧計において本体部からカフ部を取り外した状態を示す斜視図である。
【図１５】本発明の実施の形態２における血圧計において本体部にカフ部を取付けた状態を示す斜視図である。
【図１６】本発明の実施の形態２における血圧計の変形例において、本体部からカフ部を取り外した状態を示す斜視図である。
【図１７】本発明の実施の形態３における血圧計において、カフ部を使用位置に向けて回動させた状態を示す斜視図である。
【図１８】本発明の実施の形態３における血圧計において、カフ部を非使用位置に配置した状態を示す斜視図である。
【図１９】本発明の実施の形態４における血圧計において本体部からカフ部を取り外した状態を示す斜視図である。
【図２０】本発明の実施の形態４における血圧計において本体部にカフ部を取付けた状態を示す斜視図である。
【図２１】本発明の実施の形態４における血圧計のカフ部の断面図である。
【符号の説明】
【００９９】
１００Ａ〜１００Ｇ  血圧計、１１０Ａ〜１１０Ｇ  本体部、１１１  ベース部、１１１ａ  上面、１１１ａ１  凹部、１１１ｂ  周面、１１１ｃ  ヒンジ、１１１ｄ  肘置き、１１１Ａ  台部、１１１Ｂ  支柱部、１１２  被収容部、１１２ａ  ヒンジ、１１４  固定フック、１１４ａ  係止爪、１１５  可動フック、１１５ａ  係止爪、１１５ｂ  バネ、１１６  リリースボタン、１１７  凹部、１１８  マイクロスイッチ、１１８ａ  スイッチ部、１１９  把手、１２０  表示部、１２１  操作部、１２１ａ  押しボタン、１２２，１２２ａ，１２２ｂ  ＣＰＵ、１２３  メモリ部、１２４，１２４ａ，１２４ｂ  電源部、１２５  発振回路、１２６  ポンプ駆動回路、１２７  弁駆動回路、１２８  タイマ回路、１３０  血圧測定用エア系コンポーネント、１３１  圧力センサ、１３２  膨縮手段、１３３  ポンプ、１３４  弁、１４０  エア管、１５０Ａ〜１５０Ｇ  カフ部、１５１  中空部、１６０  シェル、１６２  把手、１６４，１６５  凹部、１６７  突起部、１７０  空気袋、１７１  付勢部材、１７２  摩擦低減部材、１７４  カフカバー、１８０  カバー体、１８１  内側カバー、１８２  外側カバー、１８４  カーラ。
【図１】
2007275227.tif 000003
【図２】
2007275227.tif 000004
【図３】
2007275227.tif 000005
【図４】
2007275227.tif 000006
【図５】
2007275227.tif 000007
【図６】
2007275227.tif 000008
【図７】
2007275227.tif 000009
【図８】
2007275227.tif 000010
【図９】
2007275227.tif 000011
【図１０】
2007275227.tif 000012
【図１１】
2007275227.tif 000013
【図１２】
2007275227.tif 000014
【図１３】
2007275227.tif 000015
【図１４】
2007275227.tif 000016
【図１５】
2007275227.tif 000017
【図１６】
2007275227.tif 000018
【図１７】
2007275227.tif 000019
【図１８】
2007275227.tif 000020
【図１９】
2007275227.tif 000021
【図２０】
2007275227.tif 000022
【図２１】
2007275227.tif 000023